(57)【要約】【課題】ごみ焼却炉１から排出される排ガスを浄化するろ過式集塵装置３のろ布に消石灰プレコート処理を行うごみ焼却炉排ガス処理方法において、酸性ガス濃度が一時的に上昇したときに高反応、高効率かつ高価な重曹の供給量を極力抑えながら、可及的速やかに前記酸性ガス濃度を低減可能とする。【解決手段】ごみ焼却炉排ガス処理方法は、ろ過式集塵装置３の出口側または入口側における排ガス中の酸性ガス濃度の計測値が、所定値を超過しかつ当該超過している状態が所定時間継続した場合に、前記計測値に応じて設定される量のナトリウム系薬剤をろ過式集塵装置３の入口側に供給する。【選択図】図２
2017124348.tif 000002
【特許請求の範囲】
【請求項１】
ごみ焼却炉から排出される排ガスを浄化するろ過式集塵装置のろ布に排ガス中の酸性ガスを中和させるための一定厚さの消石灰の反応層を形成する処理（消石灰プレコート処理）を行うごみ焼却炉排ガス処理方法であって、
前記ろ過式集塵装置の出口側または入口側における排ガス中の酸性ガス濃度の計測値が、所定値を超過しかつ当該超過している状態が所定時間継続した場合に、前記計測値に応じて設定される量の粉末状のナトリウム系薬剤を前記ろ過式集塵装置の入口側に供給する、ことを特徴とするごみ焼却炉排ガス処理方法。
【請求項２】
請求項１に記載のごみ焼却炉排ガス処理方法は、
前記ろ過式集塵装置の出口側または入口側における排ガス中の酸性ガス濃度を計測する第１計測処理と、
この第１計測処理による計測値が所定値を超過しているか否かを判定する第１判定処理と、
この第１判定処理で超過していると判定したときに、当該判定時点からの経過時間を計測する第２計測処理と、
この第２計測処理による計測値が所定値を超過しているか否かを判定する第２判定処理と、
この第２判定処理で超過していると判定したときに、前記計測値に応じて設定される量の粉末状のナトリウム系薬剤を前記ろ過式集塵装置の入口側に供給する供給処理と、を行うことを特徴とするごみ焼却炉排ガス処理方法。
【請求項３】
請求項１または２に記載のごみ焼却炉排ガス処理方法において、
前記消石灰プレコート処理を実行してから所定時間が経過したときに、前記ろ過式集塵装置のろ布を清掃する払落し処理をさらに行うとともに、当該払落し処理の実行中に前記ろ過式集塵装置の入口側に粉末状のナトリウム系薬剤を供給する、ことを特徴とするごみ焼却炉排ガス処理方法。
【請求項４】
ごみ焼却炉から排出される排ガスを浄化するろ過式集塵装置を備えるごみ焼却炉排ガス処理設備であって、
前記ろ過式集塵装置のろ布に排ガス中の酸性ガスを中和させるための一定厚さの消石灰の反応層を形成する処理（消石灰プレコート処理）を制御する制御部を有し、
前記制御部は、
前記ろ過式集塵装置の出口側または入口側における排ガス中の酸性ガス濃度を計測する第１計測手段と、
この第１計測処理による計測値が所定値を超過しているか否かを判定する第１判定手段と、
この第１判定手段で超過していると判定したときに、当該判定時点からの経過時間を計測する第２計測手段と、
この第２計測手段による計測値が所定値を超過しているか否かを判定する第２判定手段と、
この第２判定手段で超過していると判定したときに、前記計測値に応じて設定される量の粉末状のナトリウム系薬剤を前記ろ過式集塵装置の入口側に供給する供給手段と、を含むことを特徴とするごみ焼却炉排ガス処理設備。
【請求項５】
請求項４に記載のごみ焼却炉排ガス処理設備において、
前記制御部は、前記消石灰プレコート処理を実行してから所定時間が経過したときに、前記ろ過式集塵装置のろ布を清掃する払落し処理をさらに行うとともに、当該払落し処理の実行中に前記ろ過式集塵装置の入口側に粉末状のナトリウム系薬剤を供給する、ことを特徴とするごみ焼却炉排ガス処理設備。
【発明の詳細な説明】
【技術分野】
【０００１】
本発明は、ごみ焼却炉から排出される排ガスを浄化するろ過式集塵装置のろ布に排ガス中の酸性ガスを中和させるための一定厚さの消石灰の反応層を形成する処理（消石灰プレコート処理）を行うごみ焼却炉排ガス処理方法、ならびにごみ焼却炉排ガス処理設備に関する。
【背景技術】
【０００２】
ごみ焼却炉から排出される排ガスには、焼却対象となるごみの種類によって塩化水素（ＨＣｌ）や、硫黄酸化物（ＳＯｘ）などの酸性成分が含まれる。
【０００３】
従来は、ごみ焼却炉から排出される排ガスを２００℃以下に減温してから、この排ガスをろ過式集塵装置に通すことにより、前記排ガス中の酸性成分を除去した後、煙突から大気中に排出させるようにしている。なお、前記酸性成分を中和するための薬剤（例えば消石灰など）を前記ろ過式集塵装置の上流側の煙道に供給している。
【０００４】
例えば特許文献１では、焼却炉の下流側にボイラと冷却反応塔とバグフィルタなどの集塵装置を配置していて、前記冷却反応塔内にアルカリ剤（苛性ソーダもしくは消石灰のうちの少なくとも１種類以上）を供給することにより、その内部で排ガス中のＨＣｌ、ＳＯｘを中和反応させるようにしており、さらに、前記集塵装置の上流側の煙道に粉末状の重曹を供給することにより、当該集塵装置の前段で未反応であったＨＣｌ、ＳＯｘを中和反応させるようにしている。なお、前記排ガス中の酸性成分に対する前記重曹の当量比を前記アルカリ剤の当量比よりも小さくするようにしている。
【０００５】
また、特許文献２では、焼却炉の下流側にボイラとガス冷却塔とバグフィルタなどの集塵装置を配置していて、ガス冷却塔の上流側の煙道に配置される第一の塩化水素濃度計および第一の二酸化硫黄濃度計で計測された第一の計測値（塩化水素濃度および二酸化硫黄濃度）と、煙突に配置される第二の塩化水素濃度計および第二の二酸化硫黄濃度計で計測された第二の計測値（塩化水素濃度および二酸化硫黄濃度）とに基づいて、バグフィルタの上流側の煙道に粉末状のアルカリ剤（消石灰、または重曹、または消石灰および重曹）を供給するようになっている。
【０００６】
そして、前記第一の計測値が所定値未満の場合には粉末状のアルカリ剤として消石灰を供給し、前記第一の計測値が所定値以上の場合には重曹を供給し、前記第二の計測値が所定値を超える場合には、消石灰の供給量を固定量として供給するとともに、さらに重曹を供給して、排ガス中の酸性ガス濃度を所定の目標濃度以下とするように前記重曹の供給量を制御するようになっている。
【先行技術文献】
【特許文献】
【０００７】
【特許文献１】特開２００７−２１４４２号公報
【特許文献２】特開２０１４−１９５７９０号公報
【発明の概要】
【発明が解決しようとする課題】
【０００８】
上記特許文献１では、前記集塵装置の上流側の煙道に高反応、高効率の重曹を供給しているので、前記排ガス中の酸性成分を効率良く除去できるようになっているものの、次のような不具合が指摘される。この特許文献１では、前記排ガス中の酸性成分に対する前記重曹の当量比を前記アルカリ剤の当量比よりも小さくするようにしているものの、前記集塵装置の上流側の煙道に高価な重曹を連続的に供給するようになっているために、ランニングコストが嵩む結果になっている。
【０００９】
一方、上記特許文献２では、消石灰と重曹との供給を切り換えるようになっているので、上記特許文献１に比べるとランニングコストを低減できると考えられる。しかしながら、この特許文献２では、バグフィルタのろ布表面に一定厚さの薬剤反応層が形成されていない関係より、重曹を供給するときに前記バグフィルタの上流側の煙道に重曹を連続的に供給するようになっている。そのため、ランニングコストをさらに低減するうえで改善の余地がある。
【００１０】
このような事情に鑑み、本発明は、ごみ焼却炉から排出される排ガスを浄化するろ過式集塵装置のろ布に排ガス中の酸性ガスを中和させるための一定厚さの消石灰の反応層を形成する処理（消石灰プレコート処理）を行うごみ焼却炉排ガス処理方法において、酸性ガス濃度が一時的に上昇したときに高反応、高効率かつ高価な粉末状のナトリウム系薬剤の供給量を極力抑えながら、可及的速やかに前記酸性ガス濃度を低減可能とすることを目的としている。
【００１１】
また、本発明は、ごみ焼却炉から排出される排ガスを浄化するろ過式集塵装置のろ布に消石灰プレコート処理を行うごみ焼却炉排ガス処理設備において、酸性ガス濃度が一時的に上昇したときに高反応、高効率かつ高価な粉末状のナトリウム系薬剤の供給量を極力抑えながら、可及的速やかに前記酸性ガス濃度を低減可能とすることを目的としている。
【課題を解決するための手段】
【００１２】
本発明は、ごみ焼却炉から排出される排ガスを浄化するろ過式集塵装置のろ布に排ガス中の酸性ガスを中和させるための一定厚さの消石灰の反応層を形成する処理（消石灰プレコート処理）を行うごみ焼却炉排ガス処理方法であって、前記ろ過式集塵装置の出口側または入口側における排ガス中の酸性ガス濃度の計測値が、所定値を超過しかつ当該超過している状態が所定時間継続した場合に、前記計測値に応じて設定される量の粉末状のナトリウム系薬剤を前記ろ過式集塵装置の入口側に供給する、ことを特徴としている。
【００１３】
この構成では、消石灰プレコート処理を施したろ過式集塵装置による高効率な酸性ガス除去運転を定常的に行うことに加えて、当該ろ過式集塵装置から排出される排ガス中の酸性ガス濃度が一時的に上昇したときのみ、前記ろ過式集塵装置の入口側に高反応、高効率かつ高価なナトリウム系薬剤を供給することにより、前記ろ過式集塵装置から排出される排ガス中の酸性ガス濃度を低減するようにしている。
【００１４】
これにより、高価なナトリウム系薬剤の供給量を特許文献１，２に比べて可及的に少なくしながら、前記一時的に上昇した酸性ガス濃度を可及的速やかに低減することが可能になる。その結果、本発明によれば、特許文献１，２に比べてランニングコストを低減するうえで有利になる。
【００１５】
好ましくは、上記ごみ焼却炉排ガス処理方法は、前記ろ過式集塵装置の出口側または入口側における排ガス中の酸性ガス濃度を計測する第１計測処理と、この第１計測処理による計測値が所定値を超過しているか否かを判定する第１判定処理と、この第１判定処理で超過していると判定したときに、当該判定時点からの経過時間を計測する第２計測処理と、この第２計測処理による計測値が所定値を超過しているか否かを判定する第２判定処理と、この第２判定処理で超過していると判定したときに、前記計測値に応じて設定される量の粉末状のナトリウム系薬剤を前記ろ過式集塵装置の入口側に供給する供給処理と、を行う構成とすることができる。
【００１６】
ここでは、粉末状のナトリウム系薬剤の供給タイミングを適正化するための処理を特定しており、これにより、前記粉末状のナトリウム系薬剤の供給タイミングを適正化できるようになる。
【００１７】
好ましくは、上記ごみ焼却炉排ガス処理方法は、前記消石灰プレコート処理を実行してから所定時間が経過したときに、前記ろ過式集塵装置のろ布を清掃する払落し処理をさらに行うとともに、当該払落し処理の実行中に前記ろ過式集塵装置の入口側に粉末状のナトリウム系薬剤を供給する、構成とすることができる。
【００１８】
なお、前記払落し処理の実行中は、前記ろ過式集塵装置による酸性ガス除去効率が低下する。このような払落し処理の実行中においても、上記構成では、前記ろ過式集塵装置の入口側に粉末状のナトリウム系薬剤を供給できるため、当該ナトリウム系薬剤によって前記ろ過式集塵装置を流通する排ガス中の酸性ガスが効率良く除去されるようになる。これにより、前記払落し処理の実行中においても、前記ろ過式集塵装置から下流側への酸性ガスリーク量を低減することが可能になる。
【００１９】
また、本発明は、ごみ焼却炉から排出される排ガスを浄化するろ過式集塵装置を備えるごみ焼却炉排ガス処理設備であって、前記ろ過式集塵装置のろ布に消石灰プレコート処理を制御する制御部を有し、前記制御部は、前記ろ過式集塵装置の出口側または入口側における排ガス中の酸性ガス濃度を計測する第１計測手段と、この第１計測処理による計測値が所定値を超過しているか否かを判定する第１判定手段と、この第１判定手段で超過していると判定したときに、当該判定時点からの経過時間を計測する第２計測手段と、この第２計測手段による計測値が所定値を超過しているか否かを判定する第２判定手段と、この第２判定手段で超過していると判定したときに、前記計測値に応じて設定される量の粉末状のナトリウム系薬剤を前記ろ過式集塵装置の入口側に供給する供給手段と、を含むことを特徴としている。
【００２０】
この構成では、消石灰プレコート処理を施したろ過式集塵装置による高効率な酸性ガス除去運転を定常的に行うことに加えて、当該ろ過式集塵装置から排出される排ガス中の酸性ガス濃度が一時的に上昇したときのみ、前記ろ過式集塵装置の入口側に高反応、高効率かつ高価なナトリウム系薬剤を供給することにより、前記ろ過式集塵装置から排出される排ガス中の酸性ガス濃度を低減するようにしている。
【００２１】
これにより、高価なナトリウム系薬剤の供給量を特許文献１，２に比べて可及的に少なくしながら、前記一時的に上昇した酸性ガス濃度を可及的速やかに低減することが可能になる。その結果、本発明によれば、特許文献１，２に比べてランニングコストを低減するうえで有利になる。
【００２２】
好ましくは、上記ごみ焼却炉排ガス処理設備において、前記制御部は、前記消石灰プレコート処理を実行してから所定時間が経過したときに、前記ろ過式集塵装置のろ布を清掃する払落し処理をさらに行うとともに、当該払落し処理の実行中に前記ろ過式集塵装置の入口側に粉末状のナトリウム系薬剤を供給する、構成とすることができる。
【００２３】
なお、前記払落し処理の実行中は、前記ろ過式集塵装置による酸性ガス除去効率が低下する。このような払落し処理の実行中においても、上記構成では、前記ろ過式集塵装置の入口側に粉末状のナトリウム系薬剤を供給しているから、当該ナトリウム系薬剤によって前記ろ過式集塵装置を流通する排ガス中の酸性ガスが効率良く除去されるようになる。これにより、前記払落し処理の実行中においても、前記ろ過式集塵装置から下流側への酸性ガスリーク量を低減することが可能になる。
【発明の効果】
【００２４】
本発明に係るごみ焼却炉排ガス処理方法によれば、酸性ガス濃度が一時的に上昇したときに高反応、高効率かつ高価な粉末状のナトリウム系薬剤の供給量を極力抑えながら、可及的速やかに前記酸性ガス濃度を低減することが可能になる。その結果、本発明によれば、特許文献１，２に比べてランニングコストを低減するうえで有利になる。
【図面の簡単な説明】
【００２５】
【図１】本発明に係るごみ焼却炉排ガス処理設備の一実施形態の構成を模式的に示す図である。
【図２】図１の焼却炉排ガス処理設備を用いた排ガス処理方法を説明するためのフローチャートを示す図である。
【発明を実施するための形態】
【００２６】
以下、本発明を実施するための最良の実施形態について添付図面を参照して詳細に説明する。
【００２７】
図１および図２に、本発明の一実施形態を示している。図示例のごみ焼却炉排ガス処理設備は、ごみ焼却炉１、冷却装置２、バグフィルタ等のろ過式集塵装置３、誘引通風機４、煙突５、薬剤供給装置６、払落し装置７、排ガス分析計８、制御部１０などを備えている。
【００２８】
ごみ焼却炉１は、例えば図示しない産業廃棄物や所定梱包に入れられた感染性医療廃棄物などのごみを燃焼するものであり、焼却炉の型式は問わない。
【００２９】
冷却装置２は、詳細に図示していないが、ごみ焼却炉１から排出される高温の排ガスを例えば２２０℃程度に降温するボイラや、冷却装置２で降温された排ガスをさらに概ね２００℃以下に減温する減温塔などを有している。
【００３０】
ろ過式集塵装置３は、冷却装置２で減温された排ガス中のばいじんや有害ガス成分を中和、濾過して浄化するものである。
【００３１】
誘引通風機４は、ろ過式集塵装置３内の排ガスを吸引して、煙突５から大気中に放出させるものである。
【００３２】
薬剤供給装置６は、ろ過式集塵装置３に所定ろ過時間分の薬剤をまとめて供給するものであって、第１タンク６１、第２タンク６２、ブロワ６３、第１搬出装置６４、第２搬出装置６５などを備えている。
【００３３】
第１タンク６１は、前記排ガス中の酸性ガスを中和するための消石灰を貯留するものであり、第２タンク６２は、前記排ガス中の酸性ガスを中和するための粉末状のナトリウム系薬剤（例えば重曹）を貯留するものである。ブロワ６３は、第１、第２タンク６１，６２内の薬剤をろ過式集塵装置３の入口側に供給するための搬送空気を発生するものである。第１、第２搬出装置６４，６５は、第１、第２タンク６１，６２の薬剤排出口から薬剤を定量ずつ送り出すものである。
【００３４】
この薬剤供給装置６の動作としては、例えば下記制御部１０が前記第１、第２搬出装置６４，６５を作動させて第１、第２タンク６１，６２内の薬剤を所定量ずつ送り出し、この薬剤をブロワ６３により発生される搬送空気でもってろ過式集塵装置３の入口側に供給するようになっている。
【００３５】
払落し装置７は、ろ過式集塵装置３内の不図示のろ布を清掃するものであって、圧縮空気供給源７１、弁７２などを備えている。
【００３６】
圧縮空気供給源７１は、ろ過式集塵装置３内のろ布を清掃するために用いる圧縮空気を発生するものである。弁７２は、圧縮空気供給源７１で発生する圧縮空気をろ過式集塵装置３に供給可能とする量を制御するものである。そして、下記制御部１０が例えば弁７２を所定タイミングで開閉作動させるとともに圧縮空気供給源７１を所定時間作動させることにより、ろ過式集塵装置３内に圧縮空気をパルス的にジェット噴射して、ろ過式集塵装置３内のろ布表面の付着物を払い落とすようになっている。
【００３７】
排ガス分析計８は、ろ過式集塵装置３の下流側において排ガス中における酸性ガスの濃度を計測するものである。
【００３８】
制御部１０は、後で詳細に説明するが、ろ過式集塵装置３によるろ過運転時間が所定時間経過した場合に、ろ過式集塵装置３内のろ布を清掃する払落し処理を実行してから、ろ過式集塵装置３内のろ布に排ガス中の酸性ガスを中和させるための一定厚さの消石灰の反応層を形成する処理（消石灰プレコート処理）を実行する他、ろ過式集塵装置３を通過した排ガス中の酸性ガス濃度が一時的に上昇したときに、当該酸性ガスを効率的に除去する処理を実行する。
【００３９】
次に、図２を参照して、この実施形態に係るごみ焼却炉排ガス処理設備を用いた排ガス処理方法を説明する。
【００４０】
ごみ焼却の操業運転中は、ろ過式集塵装置３によるろ過運転を所定時間行った後、ろ過式集塵装置３のろ布を清掃する払落し処理を行うとともに、ろ過式集塵装置３内に消石灰を一定時間供給することにより前記消石灰プレコート処理を行ってから、再度、ろ過運転に戻るというサイクルを繰り返すようになっている。
【００４１】
ここで、ろ過運転中において、ステップＳ１では排ガス分析計８からの出力に基づいてろ過式集塵装置３の下流側の排ガス中の酸性ガス（塩化水素、硫黄酸化物）の濃度を連続的に計測する計測処理を行う。
【００４２】
続いて、ステップＳ２では、前記ステップＳ１で計測した値が所定値αを超過しているか否かを判定する。この所定値αは、ろ過式集塵装置３の下流側における排ガス中の酸性ガス濃度の規制値（例えば１時間平均値で１００ｐｐｍ）よりも低い値（例えば９０ｐｐｍ）に設定することが好ましい。
【００４３】
このステップＳ２において超過していないと判定した場合つまり否定判定した場合にはこのフローチャートを終了するが、超過していると判定した場合つまり肯定判定した場合には、ステップＳ３に移行する。
【００４４】
このステップＳ３では、制御部１０の図示していない内部タイマのカウントをスタートざせる。ここでは、上記ステップＳ２で肯定判定した時点からの経過時間つまり上記ステップＳ１で計測した値が所定値αを超過してからの経過時間の計測を開始する。
【００４５】
この後、ステップＳ４では、上記ステップＳ３で計測した時間が所定値βを超過しているか否かを判定する。この所定値βは、時間経過に伴い上昇する酸性ガス濃度を比較的迅速に低減可能とすることを考慮して、あまり長い時間に設定せずに、実験などにより取得した経験値（例えば１分以上４分未満、好ましくは３分）に設定することが好ましい。
【００４６】
このステップＳ４において超過していないと判定した場合つまり否定判定した場合には上記ステップＳ１に戻るが、超過していると判定した場合つまり肯定判定した場合には、続くステップＳ５に移行する。
【００４７】
このステップＳ５では、薬剤供給装置６を作動することにより粉末状のナトリウム系薬剤（例えば重曹）をろ過式集塵装置３の入口側に供給する。ここでは、前記ナトリウム系薬剤の供給量を、排ガス分析計８の出力に基づいて計測される酸性ガス濃度に応じて経験的に調整し、連続的に供給する形態にすることが好ましい。
【００４８】
ここで、この実施形態の記載事項と特許請求の範囲の記載事項との対応関係について説明する。上記ステップＳ１が特許請求の範囲に記載の「第１計測処理」または「第１計測手段」、上記ステップＳ２が特許請求の範囲に記載の「第１判定処理」または「第１判定手段」、上記ステップＳ３が特許請求の範囲に記載の「第２計測処理」または「第２計測手段」、上記ステップＳ４が特許請求の範囲に記載の「第２判定処理」または「第２判定手段」、上記ステップＳ５が特許請求の範囲に記載の「供給処理」または「供給手段」に、それぞれ相当している。
【００４９】
以上説明したように、本発明を適用した実施形態によれば、消石灰プレコート処理を施したろ過式集塵装置３による高効率な酸性ガス除去運転を定常的に行うことに加えて、当該ろ過式集塵装置３から排出される排ガス中の酸性ガス（塩化水素、硫黄酸化物）の濃度が一時的に上昇したときのみに、ろ過式集塵装置３の入口側に高反応、高効率かつ高価なナトリウム系薬剤を供給することにより、ろ過式集塵装置３から排出される排ガス中の酸性ガス濃度を低減するようにしている。
【００５０】
これにより、高価なナトリウム系薬剤の供給量を特許文献１，２に比べて可及的に少なくしながら、前記一時的に上昇した酸性ガス濃度を可及的速やかに低減することが可能になる。その結果、本発明によれば、特許文献１，２に比べてランニングコストを低減するうえで有利になる。
【００５１】
なお、本発明は、上記実施形態のみに限定されるものではなく、特許請求の範囲内および当該範囲と均等の範囲内で適宜に変更することが可能である。
【００５２】
（１）上記実施形態では、排ガス分析計８をろ過式集塵装置３の出口寄りに設置した例を挙げているが、本発明はこれのみに限定されるものではなく、図示していないが、ろ過式集塵装置３の入口寄りに排ガス分析計８を設置することも可能である。
【００５３】
この場合、上記ステップＳ２の所定値αについては実験などにより取得した経験値（例えば２０００ｐｐｍなど）に設定することが好ましい。また、上記ステップＳ５では、ろ過式集塵装置３の入口寄りの排ガス中の酸性ガス濃度の計測結果に応じて粉末状のナトリウム系薬剤の供給量を調整することが好ましい。
【００５４】
（２）上記実施形態において、払落し処理を実行する際、薬剤供給装置６から所定量（実験などにより取得した経験値）の粉末状のナトリウム系薬剤を投入することが可能である。このようにした場合、払落し処理中においても、ろ過式集塵装置３を通過する排ガス中の酸性ガスを効率良く除去できるようになる。
【産業上の利用可能性】
【００５５】
本発明は、ごみ焼却炉から排出される排ガスを浄化するろ過式集塵装置のろ布に消石灰プレコート処理を行うごみ焼却炉排ガス処理方法、ならびにごみ焼却炉排ガス処理設備に好適に利用することが可能である。
【符号の説明】
【００５６】
１  ごみ焼却炉
２  冷却装置
３  ろ過式集塵装置
４  誘引通風機
５  煙突
６  薬剤供給装置
６１  第１タンク
６２  第２タンク
６３  ブロワ
６４  第１搬出装置
６５  第２搬出装置
７  払落し装置
７１  圧縮空気供給源
７２  弁
８  排ガス分析計
１０  制御部
【図１】
2017124348.tif 000003
【図２】
2017124348.tif 000004
【手続補正書】
【提出日】平成28年10月13日(2016.10.13)
【手続補正１】
【補正対象書類名】特許請求の範囲
【補正対象項目名】請求項１
【補正方法】変更
【補正の内容】
【請求項１】
ごみ焼却炉から排出される排ガスを浄化するろ過式集塵装置のろ布に排ガス中の酸性ガスを中和させるための一定厚さの消石灰の反応層を形成する処理（消石灰プレコート処理）を行うごみ焼却炉排ガス処理方法であって、
ごみ焼却の操業運転中において、前記消石灰プレコート処理が行われていながら、前記ろ過式集塵装置の出口側における排ガス中の酸性ガス濃度の計測値が、所定値を超過しかつ当該超過している状態が所定時間継続した場合に、前記計測値に応じて設定される量の粉末状のナトリウム系薬剤を前記ろ過式集塵装置の入口側煙道に連続的に供給する処理を行う、ことを特徴とするごみ焼却炉排ガス処理方法。
【手続補正２】
【補正対象書類名】特許請求の範囲
【補正対象項目名】請求項２
【補正方法】変更
【補正の内容】
【請求項２】
請求項１に記載のごみ焼却炉排ガス処理方法において、
前記粉末状のナトリウム系薬剤を供給する処理は、前記ろ過式集塵装置の出口側における排ガス中の酸性ガス濃度を計測する第１計測処理と、
この第１計測処理による計測値が所定値を超過しているか否かを判定する第１判定処理と、
この第１判定処理で超過していると判定したときに、当該判定時点からの経過時間を計測する第２計測処理と、
この第２計測処理による計測値が所定値を超過しているか否かを判定する第２判定処理と、
この第２判定処理で超過していると判定したときに、前記計測値に応じて設定される量の粉末状のナトリウム系薬剤を前記ろ過式集塵装置の入口側煙道に連続的に供給する供給処理と、を行うことを特徴とするごみ焼却炉排ガス処理方法。
【手続補正３】
【補正対象書類名】特許請求の範囲
【補正対象項目名】請求項４
【補正方法】変更
【補正の内容】
【請求項４】
ごみ焼却炉から排出される排ガスを浄化するろ過式集塵装置を備えるごみ焼却炉排ガス処理設備であって、
前記ろ過式集塵装置のろ布に排ガス中の酸性ガスを中和させるための一定厚さの消石灰の反応層を形成する処理（消石灰プレコート処理）を制御する制御部を有し、
前記制御部は、
ごみ焼却の操業運転中において、前記消石灰プレコート処理と併行して、前記ろ過式集塵装置の出口側における排ガス中の酸性ガス濃度を計測する第１計測手段と、
この第１計測処理による計測値が所定値を超過しているか否かを判定する第１判定手段と、
この第１判定手段で超過していると判定したときに、当該判定時点からの経過時間を計測する第２計測手段と、
この第２計測手段による計測値が所定値を超過しているか否かを判定する第２判定手段と、
この第２判定手段で超過していると判定したときに、前記計測値に応じて設定される量の粉末状のナトリウム系薬剤を前記ろ過式集塵装置の入口側煙道に連続的に供給する供給手段と、を含むことを特徴とするごみ焼却炉排ガス処理設備。
【手続補正４】
【補正対象書類名】明細書
【補正対象項目名】００１２
【補正方法】変更
【補正の内容】
【００１２】
本発明は、ごみ焼却炉から排出される排ガスを浄化するろ過式集塵装置のろ布に排ガス中の酸性ガスを中和させるための一定厚さの消石灰の反応層を形成する処理（消石灰プレコート処理）を行うごみ焼却炉排ガス処理方法であって、ごみ焼却の操業運転中において、前記消石灰プレコート処理が行われていながら、前記ろ過式集塵装置の出口側における排ガス中の酸性ガス濃度の計測値が、所定値を超過しかつ当該超過している状態が所定時間継続した場合に、前記計測値に応じて設定される量の粉末状のナトリウム系薬剤を前記ろ過式集塵装置の入口側煙道に連続的に供給する処理を行う、ことを特徴としている。
【手続補正５】
【補正対象書類名】明細書
【補正対象項目名】００１５
【補正方法】変更
【補正の内容】
【００１５】
好ましくは、上記ごみ焼却炉排ガス処理方法において、前記粉末状のナトリウム系薬剤を供給する処理は、前記ろ過式集塵装置の出口側における排ガス中の酸性ガス濃度を計測する第１計測処理と、この第１計測処理による計測値が所定値を超過しているか否かを判定する第１判定処理と、この第１判定処理で超過していると判定したときに、当該判定時点からの経過時間を計測する第２計測処理と、この第２計測処理による計測値が所定値を超過しているか否かを判定する第２判定処理と、この第２判定処理で超過していると判定したときに、前記計測値に応じて設定される量の粉末状のナトリウム系薬剤を前記ろ過式集塵装置の入口側煙道に連続的に供給する供給処理と、を行う構成とすることができる。
【手続補正６】
【補正対象書類名】明細書
【補正対象項目名】００１９
【補正方法】変更
【補正の内容】
【００１９】
また、本発明は、ごみ焼却炉から排出される排ガスを浄化するろ過式集塵装置を備えるごみ焼却炉排ガス処理設備であって、前記ろ過式集塵装置のろ布に排ガス中の酸性ガスを中和させるための一定厚さの消石灰の反応層を形成する処理（消石灰プレコート処理）を制御する制御部を有し、前記制御部は、ごみ焼却の操業運転中において、前記消石灰プレコート処理と併行して、前記ろ過式集塵装置の出口側における排ガス中の酸性ガス濃度を計測する第１計測手段と、この第１計測処理による計測値が所定値を超過しているか否かを判定する第１判定手段と、この第１判定手段で超過していると判定したときに、当該判定時点からの経過時間を計測する第２計測手段と、この第２計測手段による計測値が所定値を超過しているか否かを判定する第２判定手段と、この第２判定手段で超過していると判定したときに、前記計測値に応じて設定される量の粉末状のナトリウム系薬剤を前記ろ過式集塵装置の入口側煙道に連続的に供給する供給手段と、を含むことを特徴としている。
【手続補正書】
【提出日】平成29年3月16日(2017.3.16)
【手続補正１】
【補正対象書類名】特許請求の範囲
【補正対象項目名】請求項１
【補正方法】変更
【補正の内容】
【請求項１】
ごみ焼却炉から排出される排ガスを浄化するろ過式集塵装置のろ布に排ガス中の酸性ガスを中和させるための一定厚さの消石灰の反応層を形成する処理（消石灰プレコート処理）を行ってから、ろ過運転を行うごみ焼却炉排ガス処理方法であって、
前記ろ過運転中に前記ろ過式集塵装置の出口側における排ガス中の酸性ガス濃度の計測値が、所定値を超過しかつ当該超過している状態が所定時間継続した場合に、前記計測値に応じて設定される量の粉末状のナトリウム系薬剤を前記ろ過式集塵装置の入口側煙道に連続的に供給する処理を行う、ことを特徴とするごみ焼却炉排ガス処理方法。
【手続補正２】
【補正対象書類名】特許請求の範囲
【補正対象項目名】請求項４
【補正方法】変更
【補正の内容】
【請求項４】
ごみ焼却炉から排出される排ガスを浄化するろ過式集塵装置を備えるごみ焼却炉排ガス処理設備であって、
前記ろ過式集塵装置のろ布に排ガス中の酸性ガスを中和させるための一定厚さの消石灰の反応層を形成する処理（消石灰プレコート処理）を行ってから、ろ過運転を行うよう制御する制御部を有し、
前記制御部は、
前記ろ過運転中に前記ろ過式集塵装置の出口側における排ガス中の酸性ガス濃度を計測する第１計測手段と、
この第１計測処理による計測値が所定値を超過しているか否かを判定する第１判定手段と、
この第１判定手段で超過していると判定したときに、当該判定時点からの経過時間を計測する第２計測手段と、
この第２計測手段による計測値が所定値を超過しているか否かを判定する第２判定手段と、
この第２判定手段で超過していると判定したときに、前記計測値に応じて設定される量の粉末状のナトリウム系薬剤を前記ろ過式集塵装置の入口側煙道に連続的に供給する供給手段と、を含むことを特徴とするごみ焼却炉排ガス処理設備。
【手続補正３】
【補正対象書類名】明細書
【補正対象項目名】００１２
【補正方法】変更
【補正の内容】
【００１２】
本発明は、ごみ焼却炉から排出される排ガスを浄化するろ過式集塵装置のろ布に排ガス中の酸性ガスを中和させるための一定厚さの消石灰の反応層を形成する処理（消石灰プレコート処理）を行ってから、ろ過運転を行うごみ焼却炉排ガス処理方法であって、前記ろ過運転中に前記ろ過式集塵装置の出口側における排ガス中の酸性ガス濃度の計測値が、所定値を超過しかつ当該超過している状態が所定時間継続した場合に、前記計測値に応じて設定される量の粉末状のナトリウム系薬剤を前記ろ過式集塵装置の入口側煙道に連続的に供給する処理を行う、ことを特徴としている。
【手続補正４】
【補正対象書類名】明細書
【補正対象項目名】００１９
【補正方法】変更
【補正の内容】
【００１９】
また、本発明は、ごみ焼却炉から排出される排ガスを浄化するろ過式集塵装置を備えるごみ焼却炉排ガス処理設備であって、前記ろ過式集塵装置のろ布に排ガス中の酸性ガスを中和させるための一定厚さの消石灰の反応層を形成する処理（消石灰プレコート処理）を行ってから、ろ過運転を行うよう制御する制御部を有し、前記制御部は、前記ろ過運転中に前記ろ過式集塵装置の出口側における排ガス中の酸性ガス濃度を計測する第１計測手段と、この第１計測処理による計測値が所定値を超過しているか否かを判定する第１判定手段と、この第１判定手段で超過していると判定したときに、当該判定時点からの経過時間を計測する第２計測手段と、この第２計測手段による計測値が所定値を超過しているか否かを判定する第２判定手段と、この第２判定手段で超過していると判定したときに、前記計測値に応じて設定される量の粉末状のナトリウム系薬剤を前記ろ過式集塵装置の入口側煙道に連続的に供給する供給手段と、を含むことを特徴としている。